(57)【要約】【課題】偏光板を含む表示面に設けられる構成が設けられていても、複数の表示領域の間に生じている段差をより視認しにくくすることができる表示装置等を提供することを目的とする。【解決手段】表示装置の画像表示パネルは、表示領域及び表示領域を包囲する非表示領域を有する表示面１０２と、表示面側に設けられる偏光部９０とを有し、偏光部９０は、一部分が非表示領域に延出して設けられ、互いに連結される一対の画像表示パネル２ａ，２ｂは、非表示領域の一部分同士を重ねて配置されており、背面側の画像表示パネル２ｂの偏光部９０の側面部のうち表示面側の画像表示パネル２ａ側に位置する側面部１０５が、表示面側の画像表示パネル２ａの側面部のうち背面側の画像表示パネル２ｂ側に位置する側面部１０６と対向している。【選択図】図１５
2017116668.tif 000002
【特許請求の範囲】
【請求項１】
複数の画素によって形成される画像を表示する画像表示パネルが複数連結された表示装置であって、
各画像表示パネルは、
表示領域と、前記表示領域を包囲する非表示領域とを有する表示面と、
前記表示面に設けられる偏光部とを有し、
前記偏光部は、前記表示領域を覆い、かつ、一部分が前記非表示領域に延出して設けられ、
互いに連結される一対の画像表示パネルは、前記非表示領域の一部分同士を重ねて配置されており、
一方の画像表示パネルが他方の画像表示パネルの表示面側に位置し、当該他方の画像表示パネルが当該一方の画像表示パネルの表示面の反対側である背面側に位置し、
前記背面側の画像表示パネルの前記偏光部の側面部のうち前記表示面側の画像表示パネル側に位置する側面部は、前記表示面側の画像表示パネルの側面部のうち前記背面側の画像表示パネル側に位置する側面部と対向している
表示装置。
【請求項２】
全ての前記画像表示パネルの前記偏光部は、他の画像表示パネルと重なる位置の前記非表示領域には延出していない
請求項１に記載の表示装置。
【請求項３】
前記表示面側の画像表示パネルの前記偏光部は、前記背面側の画像表示パネルと重なる位置の前記非表示領域に延出している
請求項１に記載の表示装置。
【請求項４】
前記表示面側の画像表示パネルは、前記背面側の画像表示パネルと当接する
請求項１から３のいずれか一項に記載の表示装置。
【請求項５】
重なる２つの前記画像表示パネルの少なくとも一方は、重なりにより当接する当接位置における重なり方向の厚みを他の位置における厚みよりも薄くするよう加工された加工部を有し、
前記表示面側の画像表示パネルに前記加工部が設けられる場合、当該画像表示パネルの背面側に設けられ、
前記背面側の画像表示パネルに前記加工部が設けられる場合、当該画像表示パネルの表示面側に設けられる
請求項１から４のいずれか一項に記載の表示装置。
【請求項６】
前記複数の画素のうち一部の画素は、前記非表示領域に位置するダミー画素であり、
前記非表示領域には、前記ダミー画素と表示面との間で光を遮断して前記表示領域と非表示領域との境界を形成する遮光部が設けられており、
前記表示面側の画像表示パネルの側面部のうち前記背面側の画像表示パネル側に位置する側面部は、前記背面側の画像表示パネルにおける前記境界に位置する
請求項１から５のいずれか一項に記載の表示装置。
【請求項７】
前記画像表示パネルの角度は、前記画像表示パネルの光源からの光の入射方向及び前記表示装置と前記連結表示領域で表示される画像を視認する視認者との位置関係に基づいて決定された角度である
請求項１から６のいずれか一項に記載の表示装置。
【請求項８】
４つの矩形状の前記画像表示パネルが直交する２方向に沿って２つずつ連結された前記連結表示領域を有し、
矩形状の前記画像表示パネルは、角部のうち前記２方向に交差する斜め方向で他の画像表示パネルと近接する角部がカットされている
請求項１から７のいずれか一項に記載の表示装置。
【請求項９】
カットされた角部は、少なくとも、矩形状の前記表示領域と当該表示領域を包囲する額縁状の前記非表示領域の境界線のうち当該角部により近い位置にある２つの境界線を延長した２つの直線と、当該角部に接する前記画像表示パネルの２つの辺をなぞる方向の２つの直線とが交差する２つの点を結んだ直線よりも外側がカットされた形状である
請求項８に記載の表示装置。
【請求項１０】
前記２方向に交差する斜め方向で近接する一対の前記画像表示パネルは、斜め方向で近接する別の一対の画像表示パネルに対する重なり方向の位置がいずれも表示面側又は背面側である
請求項８又は９に記載の表示装置。
【請求項１１】
交差する２方向の各々について２つ以上の矩形状の前記画像表示パネルが連結されており、
前記２方向のうち少なくとも一方の方向について、一方向に沿って連結される複数の前記画像表示パネルは、前記一方向の一端側に配置されている前記画像表示パネルに対する重なり状態の相対的な位置関係が同一である
請求項１から７のいずれか一項に記載の表示装置。
【請求項１２】
前記２方向のうち他方の方向で隣り合う位置で連結される２つの画像表示パネルは、前記一方向の一端側に配置されている前記画像表示パネルに対する重なり状態の相対的な位置関係が異なる
請求項１１に記載の表示装置。
【請求項１３】
前記連結表示領域の表示面を平面状にするように前記連結表示領域の表示面側の少なくとも一部を覆う透明なカバー部を備える
請求項１から１２のいずれか一項に記載の表示装置。
【請求項１４】
前記カバー部は、連結された複数の前記画像表示パネルの全ての表示面側を覆うカバー部材を有する
請求項１３に記載の表示装置。
【請求項１５】
前記カバー部材の前記画像表示パネル側の形状は、複数の前記画像表示パネルの前記偏光部同士の段差に対応する段差形状である
請求項１４に記載の表示装置。
【請求項１６】
前記カバー部は、前記カバー部材と前記画像表示パネルとの間に充填された充填剤を有する
請求項１４又は１５に記載の表示装置。
【請求項１７】
前記背面側の画像表示パネルに設けられた前記偏光部の表示面側に位置するフィルムを有し、
前記フィルムの厚みは、前記背面側の画像表示パネルに設けられた前記偏光部と前記表示面側の画像表示パネルに設けられた前記偏光部との段差に対応する
請求項１から１６のいずれか一項に記載の表示装置。
【請求項１８】
前記画像表示パネルは、前記表示面の反対側に設けられた偏光板を備える
請求項１から１７のいずれか一項に記載の表示装置。
【請求項１９】
複数の画素を有する表示部を備えた画像表示パネルが複数連結されて１つの前記表示部により画像が表示される表示領域よりも大きい連結表示領域を有する表示装置を構成する画像表示パネルであって、
表示領域と、前記表示領域を包囲する非表示領域とを有する表示面と、
前記表示面に設けられる偏光部とを有し、
前記偏光部は、前記表示領域を覆い、かつ、一部分が複数の前記画像表示パネルの連結において他の画像表示パネルと重なる位置の前記非表示領域を除く他の位置の前記非表示領域に延出している
画像表示パネル。
【発明の詳細な説明】
【技術分野】
【０００１】
本発明は、表示装置及び画像表示パネルに関する。
【背景技術】
【０００２】
画像を表示する表示装置を複数並べて一体的に使用することで、１つの表示装置によって表示することができる画像よりも大きい画像を表示することができるよう設けられたマルチディスプレイ装置が知られている（例えば特許文献１）。係るマルチディスプレイ装置では、並べられる複数の表示装置の各々が表示領域の外周に非表示領域を備えており、非表示領域同士が重なるように複数の表示装置が配置される。非表示領域同士が重なることで、個々の表示領域同士の間には段差が生じる。
【先行技術文献】
【特許文献】
【０００３】
【特許文献１】特開２００９−１６２９７２号公報
【発明の概要】
【発明が解決しようとする課題】
【０００４】
ところで、表示装置は、表示面に偏光板が設けられていることがある。偏光板は、一般的に表示領域の外周の非表示領域まで延出するマージンを有している。このため、偏光板が設けられた表示装置を従来のマルチディスプレイ装置と同様の仕組みで単に非表示領域を重ねるように配置した場合、表示装置の個々の非表示領域を構成する部材の厚みに偏光板の厚みが加わる。すなわち、偏光板が設けられた分だけ非表示領域同士の重なりによる段差が大きくなる。段差が大きくなると、係る段差によって一体的に取り扱われる画像が区切られているように視認されてしまうことになり、画像の画質に悪影響を与えるという問題があった。  
【０００５】
本発明は、上記の課題に鑑みてなされたもので、偏光板を含む表示面に設けられる構成が設けられていても、複数の表示領域の間に生じている段差をより視認しにくくすることができる表示装置及び画像表示パネルを提供することを目的とする。
【課題を解決するための手段】
【０００６】
本発明の一態様による表示装置は、複数の画素によって形成される画像を表示する画像表示パネルが複数連結された表示装置であって、各画像表示パネルは、表示領域と、前記表示領域を包囲する非表示領域とを有する表示面と、前記表示面に設けられる偏光部とを有し、前記偏光部は、前記表示領域を覆い、かつ、一部分が前記非表示領域に延出して設けられ、互いに連結される一対の画像表示パネルは、前記非表示領域の一部分同士を重ねて配置されており、一方の画像表示パネルが他方の画像表示パネルの表示面側に位置し、当該他方の画像表示パネルが当該一方の画像表示パネルの表示面の反対側である背面側に位置し、前記背面側の画像表示パネルの前記偏光部の側面部は、前記表示面側の画像表示パネルの側面部と対向している。
【０００７】
また、本発明の一態様による画像表示パネルは、複数の画素を有する表示部を備えた画像表示パネルが複数連結されて１つの前記表示部により画像が表示される表示領域よりも大きい連結表示領域を有する表示装置を構成する画像表示パネルであって、表示領域と、前記表示領域を包囲する非表示領域とを有する表示面と、前記表示面に設けられる偏光部とを有し、前記偏光部は、前記表示領域を覆い、かつ、一部分が複数の前記画像表示パネルの連結において他の画像表示パネルと重なる位置の前記非表示領域を除く他の位置の前記非表示領域に延出している。
【図面の簡単な説明】
【０００８】
【図１】図１は、本発明の実施形態に係る表示装置の構成の一例を示す図である。
【図２】図２は、画像表示パネルの構成概略で示す断面図である。
【図３】図３は、画像表示パネルの構成概略で示す断面図である。
【図４】図４は、画像表示パネルの表示部の主要構成である回路構成の一例を示す模式図である。
【図５】図５は、カラーフィルタによる画素の色及び配置の一例を示す模式図である。
【図６】図６は、表面から外光が入射する異方性散乱部材の断面図である。
【図７】図７は、背面から入射光が入射する異方性散乱部材の断面図である。
【図８】図８は、異方性散乱部材の一例を示す平面図である。
【図９】図９は、異方性散乱部材の機能を説明するための模式図である。
【図１０】図１０は、異方性散乱部材の一例を示す平面図である。
【図１１】図１１は、異方性散乱部材の機能を説明するための模式図である。
【図１２】図１２は、偏光部が設けられていない状態の画像表示パネルを表示面側から見た場合の平面模式図である。
【図１３】図１３は、表示領域と非表示領域との境界と偏光部との位置関係の一例を示す図である。
【図１４】図１４は、表示領域と非表示領域との境界と偏光部との位置関係の一例を示す図である。
【図１５】図１５は、画像表示パネルの連結構造及び表示領域と非表示領域との境界と偏光部との位置関係の一例を示す模式的な断面図である。
【図１６】図１６は、図１に示す画像表示パネルの位置関係を示す模式図である。
【図１７】図１７は、画像表示パネルの連結構造及び表示領域と非表示領域との境界と偏光部との位置関係の別の一例を示す模式的な断面図である。
【図１８】図１８は、加工部が設けられた画像表示パネルの連結構造の一例を示す模式的な断面図である。
【図１９】図１９は、連結表示領域の中心付近における画像表示パネルの角部の模式的な構造を示す拡大図である。
【図２０】図２０は、表示領域と非表示領域との境界線と角部においてカットされる部分との位置関係の一例を示す説明図である。
【図２１】図２１は、カバー部の構成の一例を示す図である。
【図２２】図２２は、カバー部の構成の一例を示す図である。
【図２３】図２３は、カバー部の構成の一例を示す図である。
【図２４】図２４は、フィルムを有する構成の一例を示す図である。
【図２５】図２５は、フィルムを有する構成の一例を示す図である。
【図２６】図２６は、光源からの光の入射方向及び視認者に基づいたパネルの設置角度の一例を示す模式図である。
【図２７】図２７は、偏光部が設けられている画像表示パネルの非表示領域同士を単に重ね合わせた場合を示す比較例の図である。
【図２８】図２８は、本発明の変形例１に係る表示装置の構成の一例を示す図である。
【図２９】図２９は、図２８に示す画像表示パネルの位置関係を示す模式図である。
【図３０】図３０は、本発明の変形例２に係る表示装置の構成の一例を示す図である。
【図３１】図３１は、本発明の変形例３に係る表示装置の構成の一例を示す図である。
【図３２】図３２は、本発明の変形例４に係る表示装置の構成の一例を示す図である。
【図３３】図３３は、図３２に示す画像表示パネルの位置関係を示す模式図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
図１は、本発明の実施形態に係る表示装置１の構成の一例を示す図である。図１に示すように、表示装置１は、複数の画素５０によって形成される画像を表示する画像表示パネル２（例えば、画像表示パネル２ａ，２ｂ）が複数連結されている。これによって、表示装置１は、１つの画像表示パネル２の表示部９５により画像が表示される表示領域１００よりも大きい連結表示領域を有する。表示装置１は、図１に示すように、４つの矩形状の画像表示パネル２が直交する２方向（例えば、後述するＸ方向及びＹ方向）に沿って２つずつ連結された連結表示領域を有する。より具体的には、表示装置１が有する４つの画像表示パネル２である２つの画像表示パネル２ａと２つの画像表示パネル２ｂは、各々が有する表示領域１００が、直交する２方向であるＸ方向及びＹ方向に沿って２×２の配置で並ぶように連結されている。
【００１１】
まず、画像表示パネル２（画像表示パネル２ａ，２ｂ，２ｃ，２ｄ，２ｅ，２ａ１〜２ａ９，２ｂ１〜２ｂ９）について説明する。画像表示パネル２は、フラットパネル型（平面型）の画像表示パネルである。フラットパネル型の画像表示パネルとして、例えば、液晶表示（ＬＣＤ：Ｌｉｑｕｉｄ  Ｃｒｙｓｔａｌ  Ｄｉｓｐｌａｙ）パネルを用いた画像表示パネル、エレクトロルミネッセンス（ＥＬ：Ｅｌｅｃｔｒｏ  Ｌｕｍｉｎｅｓｃｅｎｃｅ）表示パネルを用いた画像表示パネル、プラズマ表示（ＰＤ：Ｐｌａｓｍａ  Ｄｉｓｐｌａｙ）パネルを用いた画像表示パネル等が挙げられる。本発明で採用される画像表示パネル２は、これらの画像表示パネル等のいずれであってもよい。
【００１２】
これらフラットパネル型の画像表示パネルが取り得る表示の形態として、透過型、反射型及び透過型と反射型の特徴を併せ持つ半透過型の画像表示パネルが挙げられる。本発明で採用される画像表示パネル２は、表示の形態についていずれの形態を取ってもよい。図１等を参照した説明では、画像表示パネル２が反射型の液晶表示パネルを用いた画像表示パネルであるものとして説明する。反射型の液晶表示パネルは、所謂メモリーインピクセル（ＭＩＰ：memory  in  pixel）機能を有していてもよいし、ＭＩＰ機能を有していなくてもよい。
【００１３】
画像表示パネル２は、例えばカラー表示対応の画像表示パネルであるが、モノクロ表示対応の画像表示パネルであってもよい。カラー表示対応の画像表示パネルは、カラー画像を形成する単位となる１個の単位画素５が、複数の副画素（サブピクセル）として機能する画素５０を含む。より具体的には、カラー表示対応の画像表示パネルは、単位画素５が、例えば、赤色（Ｒｅｄ：Ｒ）を表示する画素５０Ｒ、緑色（Ｇｒｅｅｎ：Ｇ）を表示する画素５０Ｇ、青色（Ｂｌｕｅ：Ｂ）を表示する画素５０Ｂの３つの画素５０を含む（図５参照）。以下、画素５０と記載した場合、画素５０Ｒ，５０Ｇ，５０Ｂの色の区別を意識したものでない。単位画素５は、ＲＧＢの３原色の画素５０Ｒ，５０Ｇ，５０Ｂを組み合わせたものに限られない。単位画素５は、例えば、ＲＧＢの３原色の画素５０Ｒ，５０Ｇ，５０Ｂに、さらに１色以上の色に対応する他の画素５０を加えたものであってもよい。より具体的には、他の画素５０は、例えば、輝度向上のために白色（Ｗｈｉｔｅ：Ｗ）を表示する画素５０であってよいし、ＲＧＢの補色に対応する色（例えば、シアン（Ｃ）、マゼンタ（Ｍ）、イエロー（Ｙ））のうち少なくとも１色の画素５０であってもよい。これらの画素５０の色は、カラーフィルタ２２の色に対応する。
【００１４】
図２及び図３は、画像表示パネル２の構成概略で示す断面図である。図２及び図３に示すように、画像表示パネル２は、第１パネル部（ＴＦＴ基板）１０、第２パネル部（ＣＦ基板）２０、液晶層３０を主な構成要素として有する。画像表示パネル２は、第２パネル部２０において第２基板２３に対して偏光部９０が積層されている表示面１０２が面する側が表示面側となる。第１パネル部１０と第２パネル部２０とは、図示しないスペーサを介して所定の空隙を持って対向配置されている。液晶層３０は、第１パネル部１０と第２パネル部２０との空隙内に液晶材料が封止されることで形成されている。より具体的には、複数の画素５０が配置されている領域の周囲を縁取るように設けられたシール部材ＳＥ（図１５参照）によって密閉された第１パネル部１０と第２パネル部２０との空隙内に液晶材料が封止されることで液晶層３０が形成されている。
【００１５】
図４は、画像表示パネル２の表示部９５の主要構成である回路構成の一例を示す模式図である。第１パネル部１０は、透明なガラス等を基板材料とする第１基板１４と、第１基板１４の液晶層３０側に形成された反射電極６３とを有する。第１基板１４は、基板上に形成された回路基板１４ａと回路基板１４ａに積層された平坦化膜１４ｂとを有する。回路基板１４ａは、複数の走査線６２（６２１，６２２，６２３，・・・）及び複数の信号線６１（６１１，６１２，６１３，・・・）を有する。以下の説明において、走査線６２の延設方向をＸ方向（行方向）とし、信号線６１の延設方向をＹ方向（列方向）とすることがある。Ｘ方向とＹ方向は、直交する。これらの走査線６２及び信号線６１に接続されている画素５０の配置は、例えば、ＸＹ方向に沿った行列状の配置であるが、これは画素５０の配置の一例であってこれに限られるものでなく、適宜変更可能である。
【００１６】
より具体的には、第１基板１４には、図４に示すように、複数の走査線６２と、複数の信号線６１とが交差するように配線されている。また、第１基板１４には、走査線６２と信号線６１とのの交差位置に応じて画素５０が配置されている。複数の信号線６１は、画素５０を駆動する信号、すなわち、信号出力回路７０から出力される映像信号を画素列毎に画素５０に伝送する配線である。複数の走査線６２は、画素５０を行単位で選択する信号、すなわち、走査回路８０から出力される走査信号を画素行毎に伝送する配線である。複数の信号線６１の各一端は、信号出力回路７０の各列に対応した出力端に接続されている。複数の走査線６２の各一端は、走査回路８０の各行に対応した出力端に接続されている。
【００１７】
画素５０は、例えば、スイッチング素子５１、液晶容量５２、保持容量５３等を有する。スイッチング素子５１は、例えば、ＴＦＴ（Ｔｈｉｎ  Ｆｉｌｍ  Ｔｒａｎｓｉｓｔｏｒ：薄膜トランジスタ）を用いて形成されたスイッチである。スイッチング素子５１は、ゲート電極が複数の走査線６２のうち１つに接続され、ソース電極が複数の信号線６１のうち１つに接続されている。
【００１８】
液晶容量５２は、画素電極（例えば、反射電極６３に相当）と、これに対向して形成される対向電極（例えば、透明電極２１に相当）との間で発生する液晶材料の容量成分をさす。画素電極は、画素トランジスタ５１のドレイン電極に接続されている。本実施形態のようにカラー表示対応の画像表示パネルの場合、画素電極は、画素５０毎に形成される反射電極６３に相当する。対向電極には、直流電圧のコモン電位ＶＣＯＭが全画素共通に印加される。保持容量５３は、一方の電極が液晶容量５２の画素電極に、他方の電極が液晶容量５２の対向電極にそれぞれ接続されている。
【００１９】
平坦化膜１４ｂは、第１基板１４の回路素子、信号線６１及び走査線６２として実装される配線層１４ｃ（図１５等参照）の表面側に形成され、第１パネル部１０の表面を平坦化している。そして、平坦化膜１４ｂの上に、反射電極６３が画素５０毎に形成されている。
【００２０】
反射電極６３は、第２パネル部２０及び液晶層３０を透過して外部から入射した外光を反射する。複数の画素５０を有する画像表示パネル２の表示部９５は、反射電極６３の反射光によって表示出力を行う。
【００２１】
第１基板１４は、ＴＦＴを含む回路素子が形成されることからＴＦＴ基板と呼ばれる場合がある。本実施形態の第１基板１４は、ガラス基板上に各部が形成された構成であるが、ガラス以外の材料を用いた基板であってもよい。また、回路基板１４ａは、光を遮る材料や、反射する材料に用いてもよい。
【００２２】
第２パネル部２０は、例えば液晶層３０側から表示面側に向かって、ＩＴＯ（Indium  Tin  Oxide：インジウム錫酸化物）等で形成された透明電極２１、カラーフィルタ２２、透明なガラス等を基板材料とする第２基板２３、偏光部９０を有する。
【００２３】
図５は、カラーフィルタ２２による画素５０の色及び配置の一例を示す模式図である。カラーフィルタ２２は、例えば、列方向（Ｙ方向）に伸びるストライプ状のＲ、Ｇ、Ｂの各フィルタが、画素５０の行方向（Ｘ方向）のピッチと同じピッチで繰り返し配列された構成となっている。第２基板２３は、カラーフィルタ（ＣＦ：Ｃｏｌｏｒ  Ｆｉｌｔｅｒ）２２を含んでいることからＣＦ基板と呼ばれる場合がある。反射電極６３の反射光は、カラーフィルタ２２を通過することでカラーフィルタ２２の色に対応する色の光として認識される。図５ではストライプ状に配置された複数の画素５０が単位画素５を構成しているが、単位画素５を構成する画素５０の具体的な配置及び形状は適宜変更可能である。
【００２４】
なお、全ての画素５０に必ずカラーフィルタ２２が設けられているとは限らない。具体的には、シール部材ＳＥ付近に位置する一部の画素５０にはカラーフィルタ２２に代えて遮光部ＢＭが設けられている（図１５参照）。遮光部ＢＭは、例えば、各色のカラーフィルタ２２間に位置するブラックマトリクスと連続するよう設けられた遮光性の部材からなる。遮光部ＢＭが設けられた画素５０は、表示出力に用いられないダミー画素となる。
【００２５】
偏光部９０は、例えば表示面側から表示面１０２の反対側（背面側）に向かって、偏光板２６、１／２波長板２５、１／４波長板２４、異方性散乱部材（ＬＣＦ）２７を有する。偏光板２６は、例えばポリビニルアルコール（ＰＶＡ：Poly-Vinyl  Alcohol）のような樹脂を主体とする板状の偏光子である。１／４波長板２４及び１／２波長板２５は、水晶や雲母などの複屈折材料を主体とする位相差板である。１／４波長板２４は、入射光の電界振動方向（偏光面）にπ／２（＝λ／４）の位相差を与える。１／２波長板２５は、入射光の電界振動方向にπ（＝λ／２）の位相差を与える。表示面側からの外光は、偏光板２６によって所定の方向の直線偏光となった後に、１／２波長板２５によって偏光面が９０度回転し、その後、１／４波長板２４によって円偏光となって異方性散乱部材２７に到達する。このように、画像表示パネル２は、表示部９５の表示面側に設けられて少なくとも偏光板２６を含む偏光部９０を有する。
【００２６】
図６は、表面から外光が入射する異方性散乱部材の断面図である。図７は、背面から入射光が入射する異方性散乱部材の断面図である。図８は、異方性散乱部材の一例を示す平面図である。図９は、異方性散乱部材の機能を説明するための模式図である。図１０は、異方性散乱部材の一例を示す平面図である。図１１は、異方性散乱部材の機能を説明するための模式図である。異方性散乱部材２７は、光を散乱させるシート状の部材である。異方性散乱部材２７としては、例えば、ＬＣＦ（Light  Control  Film）を用いることができる。
【００２７】
異方性散乱部材２７は、図６及び図７に示すように、第１領域２７Ｂと、第２領域２７Ｓとを含み、２種類の領域２７Ｂ，２７Ｓは、互いに屈折率が異なっている。異方性散乱部材２７は、図８及び図９に示すように複数の板状の第２領域２７Ｓが第１領域２７Ｂ中に所定間隔で配列されたルーバー構造となっていてもよいし、図１０及び図１１に示すように柱状の第２領域２７Ｓａが第１領域２７Ｂａ中に配列された柱状構造となっていてもよい。本実施形態では、第１領域２７Ｂが第２領域２７Ｓよりも屈折率の低い材料で形成されている。第１領域２７Ｂは、異方性散乱部材２７の中で相対的に屈折率の低い材料で形成され、低屈折率領域となる。また、第２領域２７Ｓは、異方性散乱部材２７の中で相対的に屈折率の高い材料で形成され、高屈折率領域となる。
【００２８】
異方性散乱部材２７は、光の散乱について異方的である。具体的には、異方性散乱部材２７は、例えば、前方散乱が多く後方散乱が少ない前方散乱層である。より具体的には、異方性散乱部材２７は、特定方向（散乱軸方向）から入射した光を散乱する。また、異方性散乱部材２７は、第２基板２３との関係で偏光板２６側の特定方向から光（例えば外光）が入射してきた場合に、その入射した光をほとんど散乱せずに透過させ、反射電極６３で反射され戻ってきた光（反射光）を大きく散乱するようになっている。異方性散乱部材２７は、第１領域（低屈折率領域）２７Ｂと第２領域（高屈折率領域）２７Ｓとの境界付近における屈折率の変化の程度が相対的に大きい面側から光が入射して低屈折率領域２７Ｂと高屈折率領域２７Ｓとの境界付近における屈折率の変化の程度が相対的に小さい面側から光が出射する際に、光が散乱するように配置されている。
【００２９】
異方性散乱部材２７は、例えば、図６に示すように、第２基板２３との関係で所定の方向（散乱軸方向）から外光Ｌ１が入射したときにその外光Ｌ１を散乱させ、他の所定の方向（散乱軸方向以外の方向）から外光Ｌ２が入射したときにその外光Ｌ２を透過させる。また、異方性散乱部材２７は、他の所定の方向から外光Ｌ２が入射したときにその外光Ｌ２を透過させ、透過した光のうち反射電極６３で反射された光を、散乱中心軸Ｓを中心として所定の範囲で散乱させる。外光Ｌ１、Ｌ２は、第２パネル部２０の偏光板２６に入射する平行光である。外光Ｌ１、Ｌ２は、無偏光光であってもよいし、偏光光であってもよい。また、異方性散乱部材２７は、例えば、図７に示すように、光が外光Ｌ１、Ｌ２とは反対側から入射光Ｌ３、Ｌ４が入射した場合も同様に、第２基板２３との関係で所定の方向（散乱軸方向）から入射した光を散乱させ、他の所定の方向（散乱軸方向以外の方向）から入射した光を透過させる。具体的には、第２基板２３との関係で所定の方向からの入射光Ｌ３が入射したときにその入射光Ｌ３を透過させ、他の所定の方向からの入射光Ｌ４が入射したときにその入射光Ｌ４を散乱させる。なお、外光Ｌ１及び入射光Ｌ４における所定の方向は、向きが１８０度逆になるのみで、同じ方向である。また、外光Ｌ２及び入射光Ｌ３における所定の方向は、向きが１８０度逆になるのみで、同じ方向である。なお、光の散乱は、異方性散乱部材２７の通過中に生じればよく、入射時に散乱しても出射時に散乱しても、経路中で散乱してもよい。
【００３０】
異方性散乱部材２７が図８に示すルーバー構造である場合、異方性散乱部材２７は、図９に示すように、外光Ｌ１を散乱した散乱光Ｌ１ａの拡散範囲８０が、第１領域２７Ｂ及び第２領域２７Ｓの長辺方向の径ｄ１が短径となり、第１領域２７Ｂ及び第２領域２７Ｓの短辺方向（第１領域２７Ｂ及び第２領域２７Ｓの配列方向）の径ｄ２が長径となる楕円形状となる。異方性散乱部材２７は、反射電極６３から反射した光を散乱させる場合も同様に楕円形状で散乱させる。
【００３１】
異方性散乱部材２７ａが図１０に示す柱状構造である場合、異方性散乱部材２７ａは、図１１に示すように、外光Ｌ１を散乱した散乱光Ｌ１ａの拡散範囲８０ａが、径ｄ１ａと径ｄ２ａが同じ径となる円形状となる。なお、異方性散乱部材２７ａは、反射電極６３から反射した光を散乱させる場合も同様に円形状で散乱させる。
【００３２】
異方性散乱部材２７は、例えば、第１領域２７Ｂ及び第２領域２７Ｓが厚さ方向に延在し、かつ所定の方向に傾斜したものである。異方性散乱部材２７は、例えば、屈折率の互いに異なる２種類以上の光重合可能なモノマーまたはオリゴマーの混合物である樹脂シートに、紫外線を斜め方向から照射することにより形成されたものである。異方性散乱部材２７は、上記とは異なる構造となっていてもよく、また、上記とは異なる方法で製造されたものであってもよい。異方性散乱部材２７は、１層であってもよいし、複数の層であってもよい。異方性散乱部材２７が複数の層である場合、互いに等しい構造であってもよいし、互いに異なる構造であってもよい。異方性散乱部材２７は、省略されていてもよい。
【００３３】
次に、画像表示パネル２（画像表示パネル２ａ，２ｂ）における偏光部９０の配置及び画像表示パネル２（画像表示パネル２ａ，２ｂ）同士の重なりについて説明する。図１２は、偏光部９０が設けられていない状態の画像表示パネル２を表示面側から見た場合の平面模式図である。以下の説明で、画像表示パネル２の構成のうち偏光部９０を除く部分を表示部９５とする。表示部９５は、表示領域１００と、表示領域１００を包囲する非表示領域１０１とを有する表示面１０２を備える。具体的には、表示部９５は、カラーフィルタ２２が設けられた領域を表示領域１００として表示面側に画像を表示する。より具体的には、表示部９５は、例えば、配線部１１０を介して外部の構成から伝送された画像データに基づいて、複数の画素５０のうちカラーフィルタ２２が設けられた位置の画素５０が画像を表示する。本実施形態の表示部９５は、矩形状の表示領域１００と、表示領域１００を縁取る四辺を有する額縁状の非表示領域１０１とを有する。
【００３４】
非表示領域１０１は、表示部９５においてカラーフィルタ２２が設けられた複数の画素５０が設けられている領域の周囲に位置する領域である。具体的には、非表示領域１０１には、画素５０と表示面１０２との間で光を遮断して表示領域１００と非表示領域１０１との境界を形成する遮光部ＢＭが設けられている。このように遮光部ＢＭが設けられている非表示領域内の画素５０は、画像の表示に用いられないダミー画素である。本実施形態では、表示部９５の表示領域１００より外側には表示部９５の縁である側面部（例えば、側面部１０６）まで遮光部ＢＭが連続して設けられている（図１５参照）。
【００３５】
図１２に示すように、非表示領域１０１の四辺の各々の幅は必ずしも同一でない。具体的には、例えば、図１２に示すように、配線部１１０側の辺を除く三辺の幅Ｗ２，Ｗ３，Ｗ４は、配線部１１０が延出している側の一辺の幅Ｗ１よりも細い。このため、複数の画像表示パネル２を連結させる場合に、配線部１１０側の辺を除く三辺側で連結させることを優先することで画像表示パネル２の各々の表示領域１００同士の間に位置する非表示領域１０１の幅をより狭くしやすくなる。
【００３６】
画像表示パネル２は、図１２に示す表示部９５に偏光板９０が設けられた構成である。偏光部９０が設けられることで、画像表示パネル２は、表示部９５のみである場合に比して大きく厚みを増す。具体例を挙げると、本実施形態の表示部９５の厚みは、約３００μｍ〜１０００μｍである。一方、偏光部９０の厚みは、偏光板の厚さが４００μｍ程度であることからすると、４００μｍ〜６００μｍ以上である。偏光部９０は光学系の部品であり、厚みを低減させることが困難である。
【００３７】
図１３及び図１４は、表示領域１００と非表示領域１０１との境界と偏光部９０との位置関係の一例を示す図である。偏光部９０は、表示領域１００を覆い、かつ、一部分が非表示領域１０１に延出して設けられる。具体的には、例えば図１３に示すように、矩形状の偏光部９０の縦幅及び横幅は、表示領域１００の縦幅及び横幅よりもわずかに大きい。よって、表示部９５の表示面側を覆うように設けられた偏光部９０は、縁が非表示領域１０１に延出することになる。図１３に示すように、表示領域１００の中央と偏光部９０の中央とが凡そ一致する位置関係で偏光部９０を設けることで、非表示領域１０１の四辺のうち対向する二辺の各々に延出する偏光部９０の幅は凡そ等しくなる。
【００３８】
一方、表示領域１００と偏光部９０との位置関係を調整することによって非表示領域１０１の四辺の各々に延出する偏光部９０の幅の大小を調整することができる。具体的には、例えば図１４に示すように、矩形の四辺のうち少なくとも１つの辺について、表示領域１００と非表示領域１０１との境界線と偏光部９０の縁とをより近づけるようにすることで、当該辺における非表示領域１０１に延出する偏光部９０の幅をより小さくすることができる。なお、表示領域１００と偏光部９０との位置関係は、偏光部９０が表示領域１００を覆うという条件を満たす範囲内で調整される。
【００３９】
図１４に示す例では、図１３に示す偏光部９０と同一の縦横幅を有する偏光部９０を右下寄りに配置することで、左側及び上側の非表示領域１０１に延出する偏光部９０の幅を相対的に小さくしているが、これは非表示領域１０１の少なくとも一部に延出する偏光部９０の幅をより小さくする具体的手法の一例である。非表示領域１０１の少なくとも一部に延出する偏光部９０の幅をより小さくする手法は、これに限られるものでない。例えば、偏光部９０の縦横幅と表示領域１００の縦横幅との差をより小さくすることで、非表示領域１０１に延出する偏光部９０の幅をより小さくすることができる。
【００４０】
図１５は、画像表示パネル２ａ，２ｂの連結構造及び表示領域１００と非表示領域１０１との境界と偏光部９０との位置関係の一例を示す模式的な断面図である。図１５等で示す断面図はあくまで模式的なものであり、実際の断面構造の寸法を忠実に示すものでない。図１６は、図１に示す画像表示パネル２ａ，２ｂの位置関係を示す模式図である。図１６は、矢印Ｖ１の方向から見た場合における位置関係を示しており、上側が表示面側であり、下側が背面側である。互いに連結される一対の画像表示パネル（例えば、２つの画像表示パネル２ａ，２ｂ）は、非表示領域１０１の一部分同士を重ねて配置されている。また、連結される２つの画像表示パネル２ａ，２ｂは、一方の画像表示パネル２ａが他方の画像表示パネル２ｂの表示面側に位置し、当該他方の画像表示パネル２ｂが当該一方の画像表示パネル２ａの背面側に位置する。具体的には、図１５に示すように、画像表示パネル２ａと画像表示パネル２ｂとは、表示部９５の縁から所定幅の範囲（重畳範囲Ｗ５）で重なるよう連結されている。重畳範囲Ｗ５には、非表示領域１０１が位置する。具体的には、重畳範囲Ｗ５には遮光部ＢＭが設けられている。言い換えれば、カラーフィルタ２２が設けられた画素５０を有する表示領域１００は、重畳範囲Ｗ５に含まれない。
【００４１】
背面側の画像表示パネル２ｂの偏光部９０の側面部のうち表示面側の画像表示パネル２ａ側に位置する側面部（側面部１０５）は、表示面側の画像表示パネル２ａの側面部のうち背面側の画像表示パネル２ｂ側に位置する側面部（側面部１０６）と対向している。すなわち、背面側の画像表示パネル２ｂは、偏光部９０が表示面側の画像表示パネル２ａと重なる位置には延出していない。具体的には、例えば図１５に示すように、画像表示パネル２ｂの偏光部９０は、重畳範囲Ｗ５には延出していない。図１５に示す画像表示パネル２ｂの偏光部９０は、Ｘ−Ｙ平面に沿う表示面１０２において、表示領域１００と非表示領域１０１との境界線より内側に必ず偏光部９０が位置することで表示領域１００を覆うという条件を満たし、かつ、重畳範囲Ｗ５に延出しない位置に設けられている。
【００４２】
より具体的には、画像表示パネル２ｂの偏光部９０は、偏光部９０が表示領域１００を覆うという条件を満たす範囲内で、図１に示す表示装置１の中央部から離れる方向の位置に設けられる。図１４を参照して係る偏光部９０の位置を説明すると、右下側に寄った位置である。これは、画像表示パネル２ｂの非表示領域１０１のうち、図１４における上側及び左側の二辺に対応する位置で画像表示パネル２ａが重なるからである。係る画像表示パネル２ｂの偏光部９０の配置によって、遮光部ＢＭが設けられた非表示領域側に延出する度合いをより小さくすることができる。
【００４３】
本実施形態において、表示面側の画像表示パネル２ａは、背面側の画像表示パネル２ｂと当接する。具体的には、図１４で示すような画像表示パネル２ｂの偏光部９０の配置によって、当該偏光部９０は、重なる２つの表示部９５間に位置せず、表示部９５同士が当接することができる。このため、画像表示パネル２ｂの偏光部９０の厚みが画像表示パネル２ａと画像表示パネル２ｂとの連結部に加わることが無い。よって、表示装置１の厚みのうち、画像表示パネル２に係る構成による厚みは、画像表示パネル２ｂの厚み、画像表示パネル２ａの厚み及び画像表示パネル２ａの変更の厚みを合わせた厚みで収まる。
【００４４】
本実施形態では、２方向に交差する斜め方向で近接する一対の画像表示パネル２は、斜め方向で近接する別の一対の画像表示パネル２に対する重なり方向の位置がいずれも表示面側又は背面側である。具体的には、図１に示す４つの画像表示パネルである２つの画像表示パネル２ａ及び２つの画像表示パネル２ｂは、縦方向がＸ方向に沿い、横方向がＹ方向に沿う２×２の配置で連結されている。ここで、２方向とは、Ｘ方向及びＹ方向をさす。すなわち、２方向に交差する斜め方向で近接する一対の画像表示パネル２とは、図１に示す右上の画像表示パネル２ａと左下の画像表示パネル２ａとの組み合わせによる一対の画像表示パネル、左上の画像表示パネル２ｂと右下の画像表示パネル２ｂとの組み合わせによる一対の画像表示パネルをさす。右上の画像表示パネル２ａと左下の画像表示パネル２ａは共に、左上の画像表示パネル２ｂと右下の画像表示パネル２ｂに対して表示面側に位置する。左上の画像表示パネル２ｂと右下の画像表示パネル２ｂは共に、右上の画像表示パネル２ａと左下の画像表示パネル２ａに対して背面側に位置する。
【００４５】
なお、本実施形態では、例えば図１５に示すように、表示面側の画像表示パネル２ａの偏光部９０は、背面側の画像表示パネル２ｂと重なる位置の非表示領域１０１に延出していてもよい。
【００４６】
表示装置１が有する全ての画像表示パネル２の偏光部９０は、他の画像表示パネル２と重なる非表示領域１０１の一部分には延出していない構成であってもよい。具体的には、例えば本実施形態における表示装置１が有する全ての画像表示パネル２を画像表示パネル２ｂと同様の配置で偏光部９０が設けられた画像表示パネル２とすることで、表示装置１が有する全ての画像表示パネル２の偏光部９０が他の画像表示パネル２と重なる非表示領域１０１の一部分には延出していない構成とすることができる。この場合、表示装置１が有する４つの画像表示パネル２の偏光部９０の配置を統一することが可能になる。よって、画像表示パネル２ａと画像表示パネル２ｂとを区別する必要がなくなり、表示装置１を構成する画像表示パネル２の製造に係る作業をより単純化することができるようになる。
【００４７】
図１７は、画像表示パネル２ｃの連結構造及び表示領域１００と非表示領域１０１との境界と偏光部９０との位置関係の別の一例を示す模式的な断面図である。図１７は、全ての画像表示パネル２ｃの偏光部９０が、他の画像表示パネル２ｃと重なる位置の非表示領域１０１には延出していない構成の一例である。図１７に示す例では、表示面側から見た場合、画像表示パネル２ｃの偏光部９０の側面部のうち背面側の画像表示パネル２ｂ側に位置する側面部１０６が表示領域１００と非表示領域１０１との境界に位置する。言い換えれば、画像表示パネル２ｃの偏光部９０は、表示領域１００を覆い、かつ、一部分が複数の画像表示パネル２の連結において他の画像表示パネル２と重なる位置の非表示領域１０１を除く他の位置の非表示領域１０１に延出している。
【００４８】
図１７に示すように、偏光部９０が複数の画像表示パネル２ｃの連結において他の画像表示パネル２ｃと重なる非表示領域１０１の一部分に延出していないことで、画像表示パネル２ｃ同士が重なる重畳範囲Ｗ６の大きさをより大きく取ることができ、最大で非表示領域１０１の一辺の幅（幅Ｗ１〜Ｗ４のいずれか）と等しくすることができる。すなわち、画像表示パネル２ｃの連結における非表示領域１０１の重複の度合いを最大化することで、表示面側から見た場合に画像表示パネル２ｃの各々の表示領域１００間に位置する非表示領域１０１の幅を最小限（非表示領域１０１の一辺の幅）にすることができる。本実施形態においてこのように重複の度合いが最大化された場合、表示面側の画像表示パネル２ｃの側面部のうち背面側の画像表示パネル２側に位置する側面部は、背面側の画像表示パネル２ｃにおける表示領域１００と非表示領域１０１との境界に位置することになる。
【００４９】
なお、図１５、図１７等の例で示すように、本実施形態の画像表示パネル２は、背面側に設けられた偏光板２６Ａを備える。係る偏光板２６Ａは、例えば偏光部９０が有する偏光板と同一の偏光板２６Ａである。なお、図１５等に示す偏光板２６Ａの厚みは実際の偏光板２６Ａの厚みを示すものでなく、あくまで偏光板２６Ａの配置を示す模式的な図示である。背面側に偏光板２６Ａを備えることで、温度変化等の環境に係る条件の変化に応じて生じ得る偏光板２６，２６Ａの伸縮の度合いを表示部９５の表示面側と背面側とでより近似させることができる。すなわち、表示部９５の表示面側で偏光部９０が有する偏光板２６が伸長又は収縮する度合いと、背面側で偏光板２６Ａが伸長又は収縮する度合いとが近似することで、画像表示パネル２が偏光板２６の伸長等に応じて反りを生じる可能性を低減することができる。
【００５０】
図１８は、加工部１２１，１２２が設けられた画像表示パネル２ｄ，２ｅの連結構造の一例を示す模式的な断面図である。重なる２つの画像表示パネル２ｄ，２ｅの少なくとも一方は、重なりにより当接する当接位置における重なり方向の厚みを他の位置における厚みよりも薄くするよう加工された加工部（例えば、加工部１２１，１２２）を有していてもよい。表示面側の画像表示パネル２ｄに加工部１２１が設けられる場合、当該画像表示パネル２ｄの背面側に設けられる。背面側の画像表示パネル２ｅに加工部１２２が設けられる場合、当該画像表示パネル２ｅの表示面側に設けられる。
【００５１】
具体的には、重なる２つの画像表示パネル２ｄ，２ｅの両方が加工部１２１，１２２を有する場合、例えば図１８に示すように、表示面側の画像表示パネル２ｄは、背面側から表示面側に傾斜する加工部１２１を回路基板１４Ａの下面側に有する。また、背面側の画像表示パネル２ｅは、表示面側から背面側に傾斜する加工部１２２を第２基板２３Ａの上面側に有する。加工部１２１，１２２が設けられる範囲は、いわゆる重畳範囲（例えば図１５における重畳範囲Ｗ５、図１７における重畳範囲Ｗ６等）である。図１８に示す例の場合、加工部１２１，１２２は、画像表示パネル２ｄ、２ｅを重ね合わせた場合に画像表示パネル２ｄの表示面１０２と画像表示パネル２ｅの表示面１０２が平行になるよう設けられる。なお、図１８では加工部１２１と加工部１２２との間に隙間が図示されているが、係る隙間は模式的なものであって必須でない。係る隙間は、例えば接着剤等によって埋められていてもよいし、画像表示パネル２ｄ，２ｅの当接によって埋められていてもよい。
【００５２】
加工部は、重なる２つの画像表示パネル２の少なくとも一方が有していればよい。例えば、加工部が設けられていない第２基板２３における表示面側の形状に合わせて、背面側から表示面側に向かって表示面側の画像表示パネル２の回路基板１４ａを薄くするように加工部を設けてもよい。また、加工部が設けられていない回路基板１４ａにおける背面側の形状に合わせて、表示面側から背面側に向かって背面側の画像表示パネル２の第２基板２３を薄くするように加工部を設けてもよい。
【００５３】
次に、連結される画像表示パネル２の角部について説明する。図１９は、連結表示領域の中心付近における画像表示パネル２ａ，２ｂの角部の模式的な構造を示す拡大図である。矩形状の画像表示パネル２ａ，２ｂは、角部のうち２方向に交差する斜め方向で他の画像表示パネル２ａ，２ｂと近接する角部がカットされている。係るカットによって、斜め方向の位置関係にある画像表示パネル２ａ同士及び画像表示パネル２ｂ同士をより近接させることができる。
【００５４】
具体的には、例えば図１９に示すように、画像表示パネル２ａは、カット前に矩形状だった角部（図１２、図１３参照）のうち、斜め方向で他の画像表示パネル２ａと近接する１つの角部が切り落とされた形状のカット部１３１を有する。また、画像表示パネル２ｂは、カット前に矩形状だった角部（図１２、図１４参照）のうち、斜め方向で他の画像表示パネル２ｂと近接する１つの角部が切り落とされた形状のカット部１３２を有する。図１９に示す例の場合、４つの画像表示パネル２（２つの画像表示パネル２ａ及び２つの画像表示パネル２ｂ）が連結されることで、斜め方向で近接する２つの画像表示パネル２ａのカット部１３１は、互いに平行になる。また、斜め方向で近接する２つの画像表示パネル２ｂのカット部１３２は、互いに平行になる。図１９では、斜め方向で近接する２つの画像表示パネル２ａ同士の間及び２つの画像表示パネル２ｂ同士の間に隙間があるが、当該隙間を埋めるように斜め方向の２つの画像表示パネル２ａ同士及び２つの画像表示パネル２ｂ同士が当接していてもよい。
【００５５】
図２０は、表示領域１００と非表示領域１０１との境界線と角部においてカットされる部分との位置関係の一例を示す説明図である。カットされた角部は、少なくとも、矩形状の表示領域１００と当該表示領域１００を包囲する額縁状の非表示領域１０１との境界線のうち当該角部により近い位置にある２つの境界線を延長した２つの直線（例えば、直線ＬＡ，ＬＢ）と、当該角部に接する画像表示パネル２ａの２つの辺をなぞる方向の２つの直線（例えば、直線ＬＣ，ＬＤ）とが交差する２つの点を結んだ直線よりも外側がカットされた形状である。
【００５６】
具体的には、例えば図２０に示すように、表示領域１００と非表示領域１０１との境界線のうちＸ方向に沿う境界線を延長した直線ＬＡと、斜め方向で他の画像表示パネル２ａと近接する１つの角部に接する２辺のうちＹ方向に沿う辺をなぞる方向の直線ＬＣとの交点を点Ｐ１とする。また、表示領域１００と非表示領域１０１との境界線のうちＹ方向に沿う境界線を延長した直線ＬＢと、斜め方向で他の画像表示パネル２ａと近接する１つの角部に接する２辺のうちＸ方向に沿う辺をなぞる方向の直線ＬＤとの交点を点Ｐ２とする。図２０に示すように、カット部１３１は、点Ｐ１と点Ｐ２とを結んだ直線ＬＥよりも表示領域側の位置でカットされている。これによって、直交する２方向（Ｘ方向及びＹ方向）について、表示領域１００同士の距離をより近接させることができる。
【００５７】
特に、画像表示パネル２ｂの偏光部９０の配置を図１７における２つの画像表示パネル２ｃと同様の配置とすることで、斜め方向に近接する２つの画像表示パネル２ｂを最も近接させた場合には非表示領域１０１の一辺の幅と等しい距離にすることができる。例えば、図１に示す縦方向について、２つの画像表示パネル２ａ，２ｂの表示領域１００同士の距離を幅Ｗ２（図１２参照）と等しい距離にすることができる。
【００５８】
本実施形態では、直線ＬＥに略平行の直線に沿って角をカットしているカット部１３１によるカット量（ＸＡ，ＹＡ））は、点Ｐ１と点Ｐ２とを結んだ直線ＬＥでカットした場合のカット量（ＸＢ，ＹＢ）よりも大きいが、カット部１３１におけるカット量は、点Ｐ１と点Ｐ２とを結んだ直線ＬＥでカットした場合のカット量以上であればよい。
【００５９】
なお、図２０を参照した説明では、画像表示パネル２ａのカット部１３１を例としているが、画像表示パネル２ｂのカット部１３２や後述するカット部１３３についても同様であってよい。また、表示装置１を構成する他の画像表示パネル（例えば、画像表示パネル２ｃ，２ｄ，２ｅ，２ａ１〜２ａ９，２ｂ１〜２ｂ９等）は、同様に角部がカットされうる。
【００６０】
カット部１３１〜１３３の表示面側から見た場合の形状は、直線を描く形状に限らない。カット部１３１〜１３３は、一部又は全部に丸み等の湾曲形状を有していてもよい。
【００６１】
次に、表示装置１の表示面側に設けられる構成について説明する。表示装置１は、連結表示領域の表示面を平面状にするように連結表示領域の表示面側の少なくとも一部を覆う透明なカバー部１４０を備える。
【００６２】
図２１、図２２及び図２３は、カバー部１４０の構成の一例を示す図である。図２４及び図２５は、フィルム１４３を有する構成の一例を示す図である。図２１、図２２、図２３及び図２５に示すように、カバー部１４０は、連結された複数の画像表示パネル２ａ，２ｂの全ての表示面側を覆うカバー部材１４１を有していてもよい。具体的には、カバー部材１４１は、例えば、少なくとも表示面側が平坦な部材であり、プラスチック等の樹脂を主要な素材とする。図２１、図２２、及び図２５に示すように、板状のカバー部材１４１を設けることで、簡易な構成で表示装置１の連結表示領域の表示面側を平坦にすることができる。これによって、表示面側における光の進行方向（反射方向、散乱方向等）を連結表示領域全体で揃えやすくなる。
【００６３】
図２３に示すように、カバー部材１４１ａの画像表示パネル２ａ，２ｂ側の形状は、非表示領域１０１の重なりによって生じる複数の画像表示パネル２ａ，２ｂの偏光部９０同士の段差に対応する段差形状であってもよい。これによって、カバー部材１４１ａとカバー部材１４１ａからより遠い位置にある画像表示パネル２ｂとの間の隙間をより小さくすることができる。また、カバー部材１４１ａの段差に合わせて複数の画像表示パネル２ａ，２ｂを配置することで複数の画像表示パネル２ａ，２ｂの位置関係（表示面側、背面側の関係等）を特定しやすくなる。
【００６４】
図２２、図２３及び図２５に示すように、カバー部１４０は、カバー部材１４１，１４１ａと画像表示パネル２ａ，２ｂとの間に充填された充填剤１４２を有していてもよい。充填剤１４２は、例えば充填時に粘性を有し、紫外線を照射される等の硬化処理によって硬化する透明樹脂である。カバー部材１４１，１４１ａと画像表示パネル２ａ，２ｂとの間に充填剤１４２が充填されることで、カバー部材１４１，１４１ａを通過する光の進行方向をより揃えやすくなる。
【００６５】
また、図２４及び図２５に示すように、表示装置１は、背面側の画像表示パネル２ｂに設けられた偏光部９０の表示面側に位置するフィルム１４３を有していてもよい。この場合、フィルム１４３の厚みは、背面側の画像表示パネル２ｂに設けられた偏光部９０と表示面側の画像表示パネル２ａに設けられた偏光部９０との段差に対応する。具体的には、例えば図２４及び図２５に示すように、背面側の画像表示パネル２ｂの偏光部９０の表示面側にフィルム１４３が張られていてもよい。この場合、画像表示パネル２ｂの表示面１０２を基準としたフィルム１４３の表示面側の高さは、画像表示パネル２ｂに重ねられた画像表示パネル２ａに設けられた偏光部９０の高さと同一の高さになる。フィルム１４３は、例えばポリブチレンテレフタレート（ＰＥＴ：Poly-Ethylene  Terephthalate）等の樹脂を主要な素材とする膜状の部材である。これによって、連結される複数の画像表示パネル２ａ，２ｂの表示面側の段差をより緩和することができる。
【００６６】
なお、図２４及び図２５に示すように、表示面側の画像表示パネル２ａにおける背面側にフィルム１４３を設けてもよい。これによって、背面側の段差をより緩和することができる。
【００６７】
以上、画像表示パネル２ａ，２ｂが連結された構造を例としてカバー部１４０について説明したが、カバー部１４０は、他の画像表示パネル（例えば、画像表示パネル２ｃ，２ｄ，２ｅ，２ａ１〜２ａ９，２ｂ１〜２ｂ９等）で構成された表示装置１にも同様に設けられ得る。
【００６８】
次に、表示装置１が設置される場合における画像表示パネル２の角度について説明する。図２６は、光源ＬＩからの光の入射方向及び視認者ＨＵに基づいたパネルの設置角度の一例を示す模式図である。画像表示パネル２の角度は、画像表示パネル２の光源ＬＩからの光の入射方向及び表示装置１と連結表示領域で表示される画像を視認する視認者ＨＵとの位置関係に基づいて決定された角度であることが好ましい。具体的には、当該角度は、画像表示パネル２が光源ＬＩからの光を視認者ＨＵにより良好に導くことができることができる角度であることが好ましい。当該角度は、例えば鏡面反射を想定した場合に光源ＬＩからの光が視認者ＨＵに導かれる角度である。
【００６９】
図２７は、偏光部９０が設けられている画像表示パネルの非表示領域１０１同士を単に重ね合わせた場合を示す比較例の図である。従来の画像表示パネルを非表示領域１０１の一部分同士が重なるように重畳させた場合、図２７に示すように、背面側の表示部９５に設けられた偏光部９０が表示面側の表示部９５と背面側の表示部９５との重畳範囲Ｗ７に位置することになる。すなわち、背面側の画像表示パネルに設けられた偏光部９０が表示面側の画像表示パネルの表示面側と背面側の画像表示パネルの表示面側との段差をより大きくする。段差は、大きくなるほど視認が容易になることから、従来の構成では段差が視認される可能性を低減させることが難しかった。
【００７０】
これに対し、本実施形態によれば、背面側の画像表示パネル２ｂの偏光部９０の側面部のうち表示面側の画像表示パネル２ａ側に位置する側面部（側面部１０５）が、表示面側の画像表示パネル２ａの側面部のうち背面側の画像表示パネル２ｂ側に位置する側面部（側面部１０６）と対向している。すなわち、背面側の画像表示パネル２ｂは、偏光部９０が表示面側の画像表示パネル２ａと重なる位置には延出していない。このため、非表示領域１０１の一部分同士が重なる２つの画像表示パネル２ａ，２ｂの重なり方向について、背面側の画像表示パネル２ｂの偏光部９０の厚みを加えることなく２つの画像表示パネル２ａ，２ｂを重ねることができる。従って、表示面側の画像表示パネル２ａの表示面１０２と背面側の画像表示パネル２ｂの表示面１０２との段差をより小さくすることができる。よって、偏光板２６を含む構成が表示面１０２に設けられていても、複数の表示領域１００の間に生じている段差をより視認しにくくすることができる。
【００７１】
また、表示装置１が有する全ての画像表示パネル２（例えば、画像表示パネル２ｃ）の偏光部９０が、他の画像表示パネル２と重なる位置の非表示領域１０１には延出していない構成とすることで、表示装置１が有する全ての画像表示パネル２の偏光部９０の配置を統一することが可能になる。よって、表示面側の画像表示パネル２ａと背面側の画像表示パネル２ｂとを区別する必要がなくなり、表示装置１を構成する画像表示パネル２の製造に係る作業をより単純化することができるようになる。
【００７２】
また、表示面側の画像表示パネル２ａの偏光部９０が背面側の画像表示パネル２ｂと重なる位置の非表示領域１０１に延出していることで、表示面側の画像表示パネル２ａの偏光部９０と表示領域１００との位置関係の調整に求められる精度を緩和しやすくなることから、表示面側の画像表示パネル２ａの製造をより容易にすることができる。
【００７３】
また、表示面側の画像表示パネル２ａが背面側の画像表示パネル２ｂと当接することで、表示面側の表示部９５と背面側の表示部９５との段差をより小さくすることができる。
【００７４】
また、２つの画像表示パネル２（例えば、画像表示パネル２ｄ，２ｅ）の少なくとも一方が加工部（例えば、加工部１２１，１２２等）を有することによって、表示面側の画像表示パネル２ｄの表示面側と背面側の画像表示パネル２ｅの表示面側との段差をより小さくすることができる。
【００７５】
また、表示面側の画像表示パネル２ａの側面部１０６が、背面側の画像表示パネル２ｂにおける表示領域１００と非表示領域１０１との境界に位置することで、表示面側から見た場合に画像表示パネル２ｃの各々の表示領域１００間に位置する非表示領域１０１の幅をより小さくすることができ、連結表示領域内に位置する非表示領域１０１をより視認し難くすることができる。
【００７６】
また、画像表示パネル２の角度が、画像表示パネル２の光源ＬＩからの光の入射方向及び表示装置１と連結表示領域で表示される画像を視認する視認者ＨＵとの位置関係に基づいて決定されることで、画像表示パネル２が光源ＬＩからの光を視認者ＨＵにより良好に導くことができる。
【００７７】
また、４つの矩形状の画像表示パネル２（例えば、画像表示パネル２ａ，２ｂ）が直交する２方向に沿って２つずつ連結された連結表示領域を有する表示装置１において、画像表示パネルの角部のうち２方向に交差する斜め方向で他の画像表示パネル２と近接する角部がカットされていることで、斜め方向の位置関係にある画像表示パネル２同士をより近接させることができる。
【００７８】
また、カットされた角部が、矩形状の表示領域１００と当該表示領域１００を包囲する額縁状の非表示領域１０１の境界線のうち当該角部により近い位置にある２つの境界線を延長した２つの直線ＬＡ，ＬＢと当該角部に接する画像表示パネル２の２つの辺をなぞる方向の２つの直線ＬＣ，ＬＤとが交差する２つの点を結んだ直線よりも外側がカットされた形状であることで、直交する２方向について、表示領域１００同士の距離をより近接させることができる。
【００７９】
また、２方向に交差する斜め方向で近接する一対の画像表示パネル２は、斜め方向で近接する別の一対の画像表示パネル２に対する重なり方向の位置がいずれも表示面側又は背面側である。これによって、表示装置１全体の厚みにおける表示部９５の厚みを２つ分の画像表示パネル２の表示部９５の厚みに抑えることができる。また、表示面１０２に沿う方向について、表示装置１の重量、段差形状等の各種設計事項に係るバランスを取りやすくなる。
【００８０】
また、カバー部１４０を備えることで、連結表示領域の表示面側を平坦にすることができる。よって、表示面側における光の進行方向（反射方向、散乱方向等）を連結表示領域全体で揃えやすくなる。
【００８１】
また、カバー部１４０がカバー部材１４１，１４１ａを有することで、簡易な構成で表示装置１の連結表示領域の表示面側を平坦にすることができる。
【００８２】
また、カバー部材１４１ａの画像表示パネル２（例えば、画像表示パネル２ａ，２ｂ）側の形状が複数の画像表示パネル２の偏光部９０同士の段差に対応する段差形状であることで、カバー部材１４１ａとカバー部材１４１ａからより遠い位置にある画像表示パネル２との間の隙間をより小さくすることができる。また、カバー部材１４１ａの段差に合わせて複数の画像表示パネル２を配置することで複数の画像表示パネル２の位置関係（表示面側、背面側の関係等）を特定しやすくなる。このため、カバー部材１４１ａを用いて表示装置１の製造における画像表示パネル２の連結に係る作業をガイドすることができる。
【００８３】
また、カバー部材１４１，１４１ａと画像表示パネル２（例えば、画像表示パネル２ａ，２ｂ）との間に充填剤１４２が充填されることで、カバー部材１４１，１４１ａを通過する光の進行方向をより揃えやすくなる。
【００８４】
また、フィルム１４３を用いることで連結される複数の画像表示パネル２（例えば、画像表示パネル２ａ，２ｂ）の表示面側の段差をより緩和することができる。
【００８５】
また、背面側に設けられた偏光板２６Ａを備えることで、偏光板２６，２６Ａの伸縮の度合いを表示部９５の表示面側と背面側とでより近似させることができ、画像表示パネル２が偏光板２６の伸長等に応じて反りを生じる可能性を低減することができる。
【００８６】
また、画像表示パネル２が反射型の液晶表示パネルであることで、バックライトを構成する部品を省略することができる。よって、表示装置１の厚みをより薄くしやすくなる。
【００８７】
（変形例）
次に、本発明の変形例について説明する。変形例において特筆する事項を除いて、表示装置１の具体的構成は、上記で説明した実施形態と同様の形態を取ることができる。
【００８８】
（変形例１）
図２８は、本発明の変形例１に係る表示装置の構成の一例を示す図である。図２９は、図２８に示す画像表示パネル２ａ１，２ａ２，２ａ３，２ｂ１，２ｂ２，２ｂ３の位置関係を示す模式図である。図２９は、矢印Ｖ２の方向から見た場合における位置関係を示している。また、図２８及び図２９では、重なり方向の位置をＨ１，Ｈ２，Ｈ３，Ｈ４で示しており、Ｈ４側が表示面側であり、Ｈ１側が背面側である。図２８及び図２９に示すように、変形例１に係る表示装置は、例えば、６つの矩形状の画像表示パネル２である画像表示パネル２ａ１，２ａ２，２ａ３，２ｂ１，２ｂ２，２ｂ３が直交する２方向（例えば、後述するＸ方向及びＹ方向）に沿って２×３の配置で連結された連結表示領域を有する。すなわち、変形例１では、交差（例えば、直交）する２方向の各々について２つ以上の矩形状の画像表示パネル２が連結されている。
【００８９】
図２８に示す例では、Ｘ方向の一端側（図２８における左側）でＹ方向に沿って並ぶ画像表示パネル２ｂ１，２ｂ２，２ｂ３は、他端側（図２８における右側）でＹ方向に沿って並ぶ画像表示パネル２ａ１，２ａ２，２ａ３の背面側に位置する。言い換えれば、画像表示パネル２ａ１，２ａ２，２ａ３は、画像表示パネル２ｂ１，２ｂ２，２ｂ３の表示面側に位置する。
【００９０】
また、図２８に示す例では、Ｙ方向の一端側（図２８における上端側）に配置されている画像表示パネル２ｂ１は、他端側（図２８における上下方向の中央部）に配置されている画像表示パネル２ｂ２の背面側に位置する。また、画像表示パネル２ｂ２は、その他端側（図２８における下端側）に配置されている画像表示パネル２ｂ３の背面側に位置する。言い換えれば、画像表示パネル２ｂ３は、画像表示パネル２ｂ２の表示面側に位置する。また、画像表示パネル２ｂ２は、画像表示パネル２ｂ１の表示面側に位置する。また、３つの画像表示パネル２ａ１，２ａ２，２ａ３の重なり状態の相対的な位置関係と、３つの画像表示パネル２ｂ１，２ｂ２，２ｂ３の重なり状態の相対的な位置関係とは同一である。このように、変形例１では、Ｙ方向に沿って連結される複数の画像表示パネル２は、一端側に配置されている画像表示パネル２に対する重なり状態の相対的な位置関係が同一である。変形例１では、重なり方向について同様の位置関係で、Ｙ方向について４つ目以降の画像表示パネル２が設けられていてもよい。具体的には、Ｙ方向について、画像表示パネル２ａ３，２ｂ３の表示面側に位置する画像表示パネル２が他端側に設けられてもよい。５つ目以降については、追加された４つ目以降の他端側で表示面側に位置するよう設けられる。
【００９１】
変形例１では、２方向のうち少なくとも一方の方向（Ｙ方向）について、一方向に沿って連結される複数の画像表示パネル２は、一方向の一端側に配置されている画像表示パネル２に対する重なり状態の相対的な位置関係が同一である。なお、変形例１では、Ｘ方向に沿って連結される複数の画像表示パネル２を、一端側に配置されている画像表示パネル２に対する重なり状態の相対的な位置関係と同一にしてもよいし、異ならせてもよい。同一にした場合、Ｘ方向について、画像表示パネル２ａ１，２ａ２，２ａ３の表示面側に位置する画像表示パネル２が他端側に設けられる。具体例を挙げると、Ｘ方向に並ぶ画像表示パネル２ｂ１，２ａ１の重なり方向の位置はそれぞれＨ１，Ｈ２であるが、この場合、画像表示パネル２ａ１に対して画像表示パネル２ｂ１の反対側に連結される画像表示パネル２の重なり方向の位置は、Ｈ３になる。また、Ｘ方向に並ぶ画像表示パネル２ｂ２，２ａ２の重なり方向の位置はそれぞれＨ２，Ｈ３であるが、この場合、画像表示パネル２ａ２に対して画像表示パネル２ｂ２の反対側に連結される画像表示パネル２の重なり方向の位置は、Ｈ４になる。また、Ｘ方向に並ぶ画像表示パネル２ｂ３，２ａ３の重なり方向の位置はそれぞれＨ３，Ｈ４であるが、この場合、画像表示パネル２ａ３に対して画像表示パネル２ｂ３の反対側に連結される画像表示パネル２の重なり方向の位置は、Ｈ４よりもさらに表示面側の位置になる。また、４つ目以降については、追加された３つ目以降の他端側で表示面側に位置するよう設けられる。一方、異ならせた場合、Ｘ方向について、画像表示パネル２ａ１，２ａ２，２ａ３の背面側に位置する画像表示パネル２が他端側に設けられる。４つ目は、追加された３つ目の他端側で表示面側に位置するよう設けられる。すなわち、この場合、１以上のｎについて、一端側から数えて（２ｎ−１）番目に位置する画像表示パネル２は、２ｎ番目に位置する画像表示パネル２と同じ重なり状態の相対的な位置関係を取るようにすることができる。具体例を挙げると、Ｘ方向に並ぶ画像表示パネル２ｂ１，２ａ１の重なり方向の位置はそれぞれＨ１，Ｈ２であるが、この場合、画像表示パネル２ａ１に対して画像表示パネル２ｂ１の反対側に連結される画像表示パネル２の重なり方向の位置は、Ｈ１になる。また、Ｘ方向に並ぶ画像表示パネル２ｂ２，２ａ２の重なり方向の位置はそれぞれＨ２，Ｈ３であるが、この場合、画像表示パネル２ａ２に対して画像表示パネル２ｂ２の反対側に連結される画像表示パネル２の重なり方向の位置は、Ｈ２になる。また、Ｘ方向に並ぶ画像表示パネル２ｂ３，２ａ３の重なり方向の位置はそれぞれＨ３，Ｈ４であるが、この場合、画像表示パネル２ａ３に対して画像表示パネル２ｂ３の反対側に連結される画像表示パネル２の重なり方向の位置は、Ｈ３になる。このように、２方向のうち他方の方向（Ｘ方向）で隣り合う位置で連結される２つの画像表示パネル２は、一方の方向の一端側に配置されている画像表示パネル２に対する重なり状態の相対的な位置関係が異なっていてもよい。
【００９２】
変形例１のような画像表示パネル２の重なり状態の相対的な位置関係によれば、連結表示領域を構成する画像表示パネル２の追加がより容易になる。
【００９３】
また、変形例１では、Ｙ方向について、背面側の画像表示パネル２の配線部１１０が表示面側の画像表示パネル２によって表示面側から遮られる位置になるよう連結される。また、変形例１では、Ｘ方向に連結される複数の画像表示パネル２は配線部１１０が同じ方向に延出される向きである。また、変形例１では、配線部１１０の延出方向の反対側に位置する２つの角部がカットされている。具体的には、画像表示パネル２ａ１，２ａ２，２ａ３，２ｂ１，２ｂ２，２ｂ３は、配線部１１０の延出方向の反対側に２つのカット部１３３を有する。変形例１において、係る角部のカットは省略されていてもよい。
【００９４】
（変形例２）
図３０は、本発明の変形例２に係る表示装置の構成の一例を示す図である。変形例２に係る表示装置は、４つの矩形状の画像表示パネル２である２つの画像表示パネル２ａと２つの画像表示パネル２ｂが交差する２方向に沿って２つずつ連結された連結表示領域を有する。ここで、交差する２方向は必ずしも直交していない。具体的には、図３０に示す表示装置は、Ｘ方向について隣り合う２つの画像表示パネル２ａ，２ｂがＹ方向についてずれた位置関係を有している。また、Ｙ方向について隣り合う２つの画像表示パネル２ａ，２ｂがＸ方向についてずれた位置関係を有している。より具体的には、図３０における左側に配置されている画像表示パネル２ｂ，２ａは、右側に配置されている画像表示パネル２ａ，２ｂに対して相対的に上側にずれている。また、図３０における上側に配置されている画像表示パネル２ｂ，２ａは、背面側に配置されている画像表示パネル２ａ，２ｂに対して相対的に右側にずれている。このようなずれた配置を採用することで、角部をカットしなくとも、重なり方向について画像表示パネル２ｂの上側に位置する２つの画像表示パネル２ａの表示領域１００のうち、一辺側（例えば配線部１１０の反対側に位置する長辺側）の位置を合わせることができる。
【００９５】
変形例２に係る表示装置は、連結される２方向及び角部のカットがないことを除いて実施形態の表示装置１と同様である。
【００９６】
（変形例３）
図３１は、本発明の変形例３に係る表示装置の構成の一例を示す図である。変形例３に係る表示装置は、例えば、６つの矩形状の画像表示パネル２である画像表示パネル２ａ４，２ａ５，２ａ６，２ｂ４，２ｂ５，２ｂ６が交差する２方向に沿って２×３の配置で連結された連結表示領域を有する。変形例３における画像表示パネル２の連結方向である交差する２方向は、変形例２における２方向と同様、必ずしも直交していない。
【００９７】
図３１に示す例では、Ｘ方向の一端側（図３１における右側）で連結される画像表示パネル２ｂ４，２ｂ５，２ｂ６は、他端側（図３１における左側）で連結される画像表示パネル２ａ４，２ａ５，２ａ６の背面側に位置する。また、図３１に示す例では、Ｙ方向の一端側（図３１における上端側）に配置されている画像表示パネル２ｂ４は、他端側（図３１における上下方向の中央部）に配置されている画像表示パネル２ｂ５の背面側に位置する。また、画像表示パネル２ｂ５は、その他端側（図３１における下端側）に配置されている画像表示パネル２ｂ６の背面側に位置する。また、３つの画像表示パネル２ａ４，２ａ５，２ａ６の重なり状態の相対的な位置関係と、３つの画像表示パネル２ｂ４，２ｂ５，２ｂ６の重なり状態の相対的な位置関係とは同一である。このように、変形例３では、２方向のうち少なくとも一方の方向について、一方向に沿って連結される複数の画像表示パネル２は、一方向の一端側に配置されている画像表示パネル２に対する重なり状態の相対的な位置関係が同一である。具体例的には、Ｘ方向に並ぶ画像表示パネル２ｂ４，２ａ４，２ｂ５，２ａ５，２ｂ６，２ａ６の重なり方向の位置はそれぞれＨ１，Ｈ２，Ｈ２，Ｈ３，Ｈ３，Ｈ４である（図２９参照）。
【００９８】
また、変形例３では、Ｙ方向について、背面側の画像表示パネル２の配線部１１０の一部が表示面側の画像表示パネル２によって表示面側から遮られる位置になるよう連結される。また、変形例３では、Ｘ方向に隣り合う複数の画像表示パネル２は配線部１１０が同じ方向に延出される向きである。なお、変形例３に係る表示装置は、変形例１と同様、交差する２方向について２×３を上回る数の画像表示パネル２を有していてもよい。この場合、一端側から他端側にかけての重なり状態の相対的な位置関係に係る規則は、変形例１と同様である。
【００９９】
（変形例４）
図３２は、本発明の変形例４に係る表示装置の構成の一例を示す図である。図３３は、図３２に示す画像表示パネル２ａ７，２ａ８，２ａ９，２ｂ７，２ｂ８，２ｂ９の位置関係を示す模式図である。図３３は、矢印Ｖ３の方向から見た場合における位置関係を示している。また、図３２及び図３３では、重なり方向の位置をＨａ，Ｈｂ，Ｈｃ，Ｈｄで示しており、Ｈｄ側が表示面側であり、Ｈａ側が背面側である。変形例４に係る表示装置は、例えば、６つの矩形状の画像表示パネルである画像表示パネル２ａ７，２ａ８，２ａ９，２ｂ７，２ｂ８，２ｂ９が交差する２方向に沿って２×３の配置で連結された連結表示領域を有する。変形例４における画像表示パネル２の連結方向である交差する２方向は、変形例２及び変形例３における２方向と同様、必ずしも直交していない。
【０１００】
変形例４では、Ｙ方向について、背面側の画像表示パネル２の配線部１１０の一部が表示面側の画像表示パネル２によって表示面側から遮られる位置になるよう連結される。また、変形例４では、Ｘ方向に隣り合う画像表示パネル２は配線部１１０が逆方向に延出される向きである。仮に、変形例４においてＸ方向について３つ目以降の画像表示パネル２が設けられる場合、一端側から数えて（２ｎ−１）番目に位置する画像表示パネル２同士及び２ｎ番目に位置する画像表示パネル２同士は配線部１１０が同じ方向に延出され、（２ｎ−１）番目に位置する画像表示パネル２と２ｎ番目に位置する画像表示パネル２とは配線部１１０が逆方向に延出される。
【０１０１】
図３２に示す例では、Ｙ方向の一端側（図３２における上端側）に配置されている画像表示パネル２ｂ７は、他端側（図３２における上下方向の中央部）に配置されている画像表示パネル２ａ８の背面側に位置する。また、画像表示パネル２ａ８は、その他端側（図３２における下端側）に配置されている画像表示パネル２ａ９の背面側に位置する。また、Ｙ方向の一端側に配置されている画像表示パネル２ａ７は、他端側に配置されている画像表示パネル２ｂ８の表示面側に位置する。また、画像表示パネル２ｂ８は、その他端側（図３２における下端側）に配置されている画像表示パネル２ｂ９の表示面側に位置する。このように、変形例４では、２方向のうち一方の方向に沿って連結される複数の画像表示パネル２を構成する画像表示パネルの列は、各列で一方向の一端側に配置されている画像表示パネル２に対する重なり状態の相対的な位置関係が同一である。変形例４においても、当該一方の方向については変形例１及び変形例３と同様の規則で４つ目以降の画像表示パネル２を設けることができる。
【０１０２】
画像表示パネルの列の各々において上記のような重なり状態の相対的な位置関係を有する複数の画像表示パネル２は、当該画像表示パネルの列の方向と異なる方向である他方向において必ずしも直接重ならない非当接関係を有する。具体的には、画像表示パネル２ａ７と画像表示パネル２ｂ７とは、画像表示パネル２ａ７を表示面側とし、画像表示パネル２ｂ７を背面側とする位置関係で重なる。また、画像表示パネル２ａ８と画像表示パネル２ｂ８とは、画像表示パネル２ａ８を表示面側とし、画像表示パネル２ｂ８を背面側とする位置関係で重なる。一方、画像表示パネル２ａ９は、Ｙ方向について隣り合う画像表示パネル２ａ８と重なるのみで、Ｘ方向について隣り合う画像表示パネル２ｂ９と直接重ならない。具体例的には、Ｘ方向に並ぶ画像表示パネル２ｂ７，２ａ７，２ｂ８，２ａ８，２ｂ９，２ａ９の重なり方向の位置はそれぞれＨａ，Ｈｂ，Ｈｂ，Ｈｃ，Ｈｃ，Ｈｄである。ただし、表示面側から見た場合における画像表示パネル２ａ９と画像表示パネル２ｂ９との見かけ上の重畳部分は、Ｘ方向について直接重なる２つの画像表示パネル２の重畳範囲（例えば、実施形態における重畳範囲Ｗ５又は重畳範囲Ｗ６を参照）と同様である。
【０１０３】
変形例４においてＸ方向について３つ目以降の画像表示パネル２を設ける場合、画像表示パネル２ａ７，２ｂ８，２ｂ９の画像表示パネルの列の他端側に隣り合う画像表示パネルの列は、画像表示パネル２ｂ７，２ａ８，２ａ９の画像表示パネルの列と同一の画像表示パネルの列になる。さらにその他端側に隣り合う画像表示パネルの列は、画像表示パネル２ａ７，２ｂ８，２ｂ９の画像表示パネルの列と同一の画像表示パネルの列になる。
【０１０４】
なお、上記の実施形態及び変形例では、表示装置が４つ以上の画像表示パネル２を有しているが、表示装置は、最低２つの画像表示パネル２を有していればよい。係る２つの画像表示パネル２は、一方が表示面側に位置し、他方が背面側に位置する。
【０１０５】
また、上記の実施形態及び変形例では、画像表示パネル２及び表示領域１００が矩形状であるが、画像表示パネル２及び表示領域１００の具体的形状は適宜変更可能である。画像表示パネル２及び表示領域１００の具体的形状によらず、非表示領域１０１同士の重なりにおいて、背面側の画像表示パネルの偏光部が重畳範囲に延出しないことによって重なり方向の厚みを低減することができる。
【０１０６】
また、本実施形態において述べた態様によりもたらされる他の作用効果について本明細書記載から明らかなもの、又は当業者において適宜想到し得るものについては、当然に本発明によりもたらされるものと解される。
【符号の説明】
【０１０７】
１      表示装置
２，２ａ，２ｂ，２ｃ，２ｄ，２ｅ，２ａ１〜２ａ９，２ｂ１〜２ｂ９  画像表示パネル
５      単位画素
１０    第１パネル部
１４    第１基板
１４ａ，１４Ａ  回路基板
１４ｂ  平坦化膜
１４ｃ  配線
２０    第２パネル部
２１    透明電極
２２    カラーフィルタ
２３，２３Ａ    第２基板
２４    １／４波長板
２５    １／２波長板
２６，２６Ａ  偏光板
２７    異方性散乱部材
３０    液晶層
５０    画素
５１    スイッチング素子
５２    液晶容量
５３    保持容量
６１，６１１，６１２，６１３    信号線
６２，６２１，６２２，６２３    走査線
６３    反射電極
７０    信号出力回路
８０    走査回路
９０    偏光部
９５    表示部
１００  表示領域
１０１  非表示領域
１０２  表示面
１０５  側面部
１０６  側面部
１１０  配線部
１２１，１２２  加工部
１３１，１３２，１３３  カット部
１４０  カバー部
１４１，１４１ａ  カバー部材
１４２  充填剤
１４３  フィルム
ＢＭ    遮光部
ＨＵ    視認者
ＬＩ    光源
ＳＥ    シール部材
【図１】
2017116668.tif 000003
【図２】
2017116668.tif 000004
【図３】
2017116668.tif 000005
【図４】
2017116668.tif 000006
【図５】
2017116668.tif 000007
【図６】
2017116668.tif 000008
【図７】
2017116668.tif 000009
【図８】
2017116668.tif 000010
【図９】
2017116668.tif 000011
【図１０】
2017116668.tif 000012
【図１１】
2017116668.tif 000013
【図１２】
2017116668.tif 000014
【図１３】
2017116668.tif 000015
【図１４】
2017116668.tif 000016
【図１５】
2017116668.tif 000017
【図１６】
2017116668.tif 000018
【図１７】
2017116668.tif 000019
【図１８】
2017116668.tif 000020
【図１９】
2017116668.tif 000021
【図２０】
2017116668.tif 000022
【図２１】
2017116668.tif 000023
【図２２】
2017116668.tif 000024
【図２３】
2017116668.tif 000025
【図２４】
2017116668.tif 000026
【図２５】
2017116668.tif 000027
【図２６】
2017116668.tif 000028
【図２７】
2017116668.tif 000029
【図２８】
2017116668.tif 000030
【図２９】
2017116668.tif 000031
【図３０】
2017116668.tif 000032
【図３１】
2017116668.tif 000033
【図３２】
2017116668.tif 000034
【図３３】
2017116668.tif 000035